【手続補正書】
【提出日】平成27年10月19日(2015.10.19)
【手続補正１】
【補正対象書類名】明細書
【補正対象項目名】００２８
【補正方法】変更
【補正の内容】
【００２８】
ウエイト保持体１０７は、ウエイト１０８を着脱自在に保持するためのアルミニウム製の部材であり、噴射体保持体１０５と同様に、ウエイト１０８が貫通する貫通孔を備えた段付きの円筒状に構成されている。この場合、ウエイト保持体１０７は、噴射体保持体１０５と同様に、ウエイト１０８を保持する貫通孔が垂直方向に対して１０°の角度で図示下方に向かって外側に傾斜して形成されている。ウエイト１０８は、噴射体１０１を保持して回転駆動する回転用プーリ１０６において噴射体１０１とのバランスを合わせるためのステンレス製の錘であり、噴射体１０１と同等の長さおよび重さの丸棒状に形成されている。なお、路面用噴水型除去装置１００は、ウエイト１０８を省略して構成することもできる。
【手続補正２】
【補正対象書類名】明細書
【補正対象項目名】００２９
【補正方法】変更
【補正の内容】
【００２９】
回転用プーリ１０６は、ベアリング１０９を介して揺動用プーリ１１４に回転自在に支持された状態で平ベルト１１０を介して回転駆動用プーリ１１１に連結されている。平ベルト１１０は、回転駆動用モータ１１２の回転駆動力を回転用プーリ１０６に伝達するための機械要素であり、帯状のゴム材をリング状に形成して構成されている。この平ベルト１１０は、回転用プーリ１０６および回転駆動用プーリ１１１に対して摩擦接触した状態で架設されている。回転駆動用プーリ１１１は、回転駆動用モータ１１２の回転駆動によって回転する機械要素である。回転駆動用モータ１１２は、後述する制御部１４０の作動制御によって回転駆動する電動機であり、支持台１１３上に固定されている。すなわち、回転用プーリ１０６は、回転駆動用モータ１１２の回転駆動によって回転駆動する。本実施形態においては、回転駆動用モータ１１２は、回転用プーリ１０６を３００ｒｐｍ以上かつ５００ｒｐｍの範囲の速度で回転させる。支持台１１３は、後述する載置板１２４上に凸状に固定されたステンレス製の棚である。
【手続補正３】
【補正対象書類名】明細書
【補正対象項目名】００３０
【補正方法】変更
【補正の内容】
【００３０】
揺動用プーリ１１４は、回転用プーリ１０６を回転用プーリ１０６の回転中心Ｏ１とは異なる位置を回転中心Ｏ２として回転変位、すなわち、自転する回転用プーリ１０６を回転中心Ｏ１とは異なる位置を回転中心Ｏ２とする円軌道に沿って公転させるための機械要素であり、アルミニウム材によって構成されている。この揺動用プーリ１１４の内側には、回転用プーリ１０６の回転駆動によって回転変位する噴射体１０１およびウエイト１０８が貫通可能な貫通孔が形成されている。そして、この揺動用プーリ１１４は、ベアリング１１５を介してプーリホルダ１２２に回転自在に支持された状態で平ベルト１１６を介して揺動駆動用プーリ１１７に連結されている。
【手続補正４】
【補正対象書類名】明細書
【補正対象項目名】００３３
【補正方法】変更
【補正の内容】
【００３３】
オリフィス部Ｏｒは、噴射体１０１が存在する噴射体領域ＪＥと後述するバキューム領域ＶＥとの両者間での空気の流れる流路を狭めた部分である。このオリフィス部Ｏｒは、内スカート１２０の伸縮によって噴射体領域ＪＥへの開口部の面積が後述する排出ダクト１２９がバキューム領域ＶＥに開口する開口面積の０.８〜１.５倍の範囲の面積になるように調整される。
【手続補正５】
【補正対象書類名】明細書
【補正対象項目名】００３７
【補正方法】変更
【補正の内容】
【００３７】
前輪１２６ａおよび後輪１２６ｂは、路面用噴水型除去装置１００を移動させるための輪であり、載置板１２４の裏面における路面用噴水型除去装置１００の前方側および後方側にそれぞれ取り付けられている。これらのうち、路面用噴水型除去装置１００の前方側に設けられた２つの前輪１２６ａは、移動駆動用モータ１２７に連結されて同移動駆動用モータ１２７によって回転駆動するように構成されている。移動駆動用モータ１２７は、制御部１３０の作動制御によって回転駆動する電動機であり、載置板１２４の表面上に固定されている。一方、路面用噴水型除去装置１００の後方側に設けられた１つの後輪１２６ｂは、載置板１２４に対して向きおよび回転が自在なフリーな状態で設けられている。すなわち、移動台１２３は、２つの前輪１２６ａおよび１つの後輪１２６ｂからなる３つの車輪によって路面Ｇに対して３点支持されている。
【手続補正６】
【補正対象書類名】明細書
【補正対象項目名】００４４
【補正方法】変更
【補正の内容】
【００４４】
次に、作業者は、路面Ｇ上の白線Ｌの除去作業を開始する。具体的には、作業者は、移動台１２３を人手で押すことにより路面用噴水型除去装置１００を除去対象となる白線Ｌ上に移動させる。次に、作業者は、内スカート１２０の長さを調節する。この場合、作業者は、内スカート１２０内および外スカート１２８内での吸引環境に応じて内スカート１２０の長さを調節する。
【手続補正７】
【補正対象書類名】明細書
【補正対象項目名】００４５
【補正方法】変更
【補正の内容】
【００４５】
具体的には、作業者は、路面Ｇに向けて噴射した霧状の水および除去した白線屑の外スカート１２８外への漏出（例えば、白線屑が粉状の場合）には、内スカート１２０における可動側内スカート１２０ｂを下げる。一方、作業者は、除去した白線屑の粒径が比較的大きい場合には、内スカート１２０における可動側内スカート１２０ｂを上昇させることにより、噴射体１０１から高圧水が噴射される路面Ｇに排出ダクト１２９が露出するようにする（図４参照）。すなわち、作業者は、内スカート１２０の長さを調整することによりオリフィス部Ｏｒを構成する隙間の量を調整する。この場合、オリフィス部Ｏｒは、噴射体領域ＪＥへの開口部の面積が排出ダクト１２９がバキューム領域ＶＥに開口する開口面積の０.８〜１.５倍の範囲の面積になるように調整される。なお、内スカート１２０の長さの調整は、移動台１２３を傾斜させて行うことができる。
【手続補正８】
【補正対象書類名】明細書
【補正対象項目名】００４６
【補正方法】変更
【補正の内容】
【００４６】
次に、作業者は、操作スイッチ１４１を操作することにより制御部１４０に対して回転駆動用モータ１１２、揺動駆動用モータ１１８および移動駆動用モータ１２７の各作動の開始を指示する。これにより、路面用噴水型除去装置１００は、噴射体１０１を回転用プーリ１０６の回転中心Ｏ１を回転中心として回転変位させるとともに、この回転変位する噴射体１０１を揺動用プーリ１１４の回転中心Ｏ２を回転中心として更に回転変位させながら前輪１２６ａを回転駆動させて前進（図１において左側）（図示矢印参照）を開始する。
【手続補正９】
【補正対象書類名】明細書
【補正対象項目名】００５１
【補正方法】変更
【補正の内容】
【００５１】
この場合、オリフィス部Ｏｒは、噴射体領域ＪＥへの開口部の面積が排出ダクト１２９がバキューム領域ＶＥに開口する開口面積の０.８〜１.５倍の範囲の面積になるように調整されている。また、内スカート１２０の下端部と路面Ｇとの間に設けられたオリフィス部Ｏｒは、外スカート１２８の下端部と路面Ｇとの間の隙間よりも広く形成されている。これらにより、路面用噴水型除去装置１００は、路面Ｇに噴射されて飛び散った水および路面Ｇから剥がされた白線屑を内スカート１２０の下端部と路面Ｇとの間の隙間を介して効果的にバキューム領域Ｅに導くとともに、外スカート１２８の内側におけるバキューム領域ＶＥに導かれた水および白線屑を外スカート１２８の外側への漏出を抑えながら効果的に吸引して回収することができる。なお、路面Ｇ上からの白線Ｌの除去作業中においては、揺動用プーリ１１４の回転駆動によって内スカート１２０も回転駆動している。
【手続補正１０】
【補正対象書類名】明細書
【補正対象項目名】００５７
【補正方法】変更
【補正の内容】
【００５７】
この転動レール１６３は、移動台１２３の載置板１２４上における転動ベース１６１の周囲であって転動ベアリング１６２に対応する位置にそれぞれ固定されている。そして、この載置板１２４の裏面には、内スカート１２０が取り付けられている。すなわち、本第２実施形態においては、内スカート１２０は、載置板１２４に固定されているため、白線Ｌの除去作業中において不動である。
【手続補正１１】
【補正対象書類名】明細書
【補正対象項目名】００５８
【補正方法】変更
【補正の内容】
【００５８】
また、揺動用ベース１６１における外周部には、路面用噴水型除去装置２００の後方（図示右側）に向かって張り出した連結片１６４を介して揺動機構１６５が連結されている。揺動機構１６５は、揺動用ベース１６１を路面用噴水型除去装置２００の幅方向に揺動させる部材群であり、主として、偏芯片１６６、揺動棒１６７および支持柱１６８によって構成されている。偏芯片１６６は、揺動駆動用モータ１１８の回転駆動軸に接続されるとともに、この回転駆動軸の径方向外側に延びるプレート体である。
【手続補正１２】
【補正対象書類名】明細書
【補正対象項目名】００５９
【補正方法】変更
【補正の内容】
【００５９】
一方、揺動棒１６７は、揺動用ベース１６１と揺動駆動用モータ１１８とを互いに連結するためのアルミニウム製の板状部材であり、移動台１２３の載置板１２４上に起立する支持柱１６８に対して回転自在の状態で支持されている。この揺動棒１６７の両端部には、それぞれ長孔状の貫通孔が形成されており、これらの各長孔を介して揺動用ベース１６１の連結片１６４および揺動駆動用モータ１１８に接続された偏芯片１６６がそれぞれ回動自在に連結されている。
【手続補正１３】
【補正対象書類名】明細書
【補正対象項目名】００６０
【補正方法】変更
【補正の内容】
【００６０】
（路面用噴水型除去装置２００の作動）
このように構成した路面用噴水型除去装置２００による白線Ｌの除去作業時においては、噴射体１０１から高圧水が噴射された状態で回転する回転用プーリ１０６が揺動される。具体的には、作業者は、噴射体１０１から高圧水が噴射された状態において操作スイッチ１４１を操作することにより制御部１４１を介して揺動駆動用モータ１１８の作動を開始させる。これにより、路面用噴水型除去装置２００は、図７に示すように、揺動棒１６７が支持柱１６８を回動中心として路面用噴水型除去装置２００の幅方向に延びる円弧軌道上を往復変位することによって揺動用ベース１６１を同幅方向に往復変位させることができる。
【手続補正１４】
【補正対象書類名】明細書
【補正対象項目名】００６５
【補正方法】変更
【補正の内容】
【００６５】
例えば、上記各実施形態においては、噴射体１０１から噴射された高圧水は噴射体１０１が回転用プーリ１０６によって回転駆動されることにより円状の噴水軌道１５０上を変位するように構成されている。すなわち、上記各実施形態における回転用プーリ１０６、回転駆動用プーリ１１１および回転駆動用モータ１１２が、噴射方向変位手段に相当する。しかし、この噴射方向変位手段は、噴射体１０１から噴射される水の噴射方向を円状の噴水軌道１５０で変位するように構成されていれば、必ずしも上記実施形態に限定されるものではない。例えば、噴射方向変位手段は、噴水ノズル１０４を噴射体１０１に回転可能に設けた状態で路面用噴水型除去装置１００，２００に可動的または固定的に保持させることにより噴水方向を変化させることができる。なお、この場合、噴射体１０１から噴射される高圧水の噴水軌道１５０は、円の他に楕円を含むものである。
【手続補正１５】
【補正対象書類名】明細書
【補正対象項目名】００６７
【補正方法】変更
【補正の内容】
【００６７】
また、上記各実施形態においては、噴射体１０１は移動駆動用モータ１２７が搭載された移動台１２３によって路面Ｇ上を移動するように構成されている。すなわち、上記各実施形態における路面用噴水型除去装置１００，２００は、自走式で構成されている。この場合、上記各実施形態における移動台１２３および移動駆動用モータ１２７が噴射体移動手段に相当する。しかし、噴射体移動手段は、噴射体１０１を路面Ｇに沿って移動させることができれば、必ずしも上記各実施形態に限定されるものではない。例えば、噴射体移動手段は、上記各実施形態における移動台１２３から移動駆動用モータ１２７を省略して手押し式の台車として構成するができる。また、噴射体移動手段は、移動台１２３に別体で構成されて移動台１２３に連結される駆動体、例えば、自動車を含んで構成することもできる。
【手続補正１６】
【補正対象書類名】明細書
【補正対象項目名】００６９
【補正方法】変更
【補正の内容】
【００６９】
また、上記各実施形態においては、移動台１２３は、２つの前輪１２６ａと１つの後輪１２６ｂからなる３つの車輪を備えて構成されている。これにより、移動台１２３は、噴射体１０１を路面Ｇに対して所謂三点支持するため、路面Ｇに凹凸があった場合においても常に安定的に噴射体１０１を移動させることができる。しかし、移動台１２３は、路面Ｇ上において噴射体１０１を移動させることができれば、必ずしも上記実施形態に限定されるものではない。すなわち、移動台１２３は、４つ以上の車輪を備えて構成されていてもよいし、車輪に代えてまたは加えて無限軌道を備えて構成されていてもよい。
【手続補正１７】
【補正対象書類名】明細書
【補正対象項目名】００７２
【補正方法】変更
【補正の内容】
【００７２】
また、上記各実施形態においては、回転用プーリ１０６に８つの貫通孔からなるエア導入孔１０６ｂを設けて内スカート１２０内に外気を導入するように構成した。すなわち、回転用プーリ１０６ｂが本発明に係る噴射体保持手段に相当するとともに、エア導入孔１０６が本発明に係るエア導入手段に相当する。しかし、エア導入手段は、内スカート１２０の内側に空気を導入することができれば、必ずしも上記各実施形態に限定されるものではない。例えば、エア導入手段は、噴射体領域ＪＥ内に強制的に空気を送り込むエアコンプレッサなどで構成することもできる。また、エア導入手段は、噴射体保持体１０５に貫通孔を形成して構成することもできる。この場合、噴射体保持体１０５は本発明に係る噴射体保持手段に相当する。
【手続補正１８】
【補正対象書類名】明細書
【補正対象項目名】００７４
【補正方法】変更
【補正の内容】
【００７４】
また、上記各実施形態においては、内スカート１２０は、揺動用プーリ１１４に固定される固定側内スカート１２０ａと、この固定側内スカート１２０ａの外側に２つの固定ボルト１２１によって固定側内スカート１２０ａの軸線方向に変位可能に取り付けられた可動側内スカート１２０ｂとによって構成されている。しかし、内スカート１２０は、筒状に形成されて少なくとも路面Ｇにおける水が噴射される部分の周囲を包囲するように構成されていれば、上記各実施形態に限定されるものではない。例えば、内スカート１２０は、外スカート１２８のように、１つの材料によって伸縮不能、すなわち、路面に対する長さが固定で構成することもできる。
【手続補正１９】
【補正対象書類名】明細書
【補正対象項目名】００７５
【補正方法】変更
【補正の内容】
【００７５】
また、上記各実施形態においては、外スカート１２８の内部に円筒状の内スカート１２０を配置することにより、噴射体１０１が存在する噴射体領域ＪＥを円柱状に形成するとともに、排出ダクト１２９が開口するバキューム領域ＶＥをリング状に形成した。しかし、噴射体領域ＪＥおよびバキューム領域ＶＥは、外スカート１２８の内側領域において噴射体領域ＪＥが噴射体１０１を含んでおり、バキューム領域ＶＥがバキューム装置１３０に連通してかつ両者がオリフィス部Ｏｒを介して連通していれば、必ずしも上記実施形態に限定されるものではない。したがって、路面用噴水型除去装置１００，２００は、例えば、図９に示すように、方形状の外スカート１２８内において、噴射体１０１に対して進行方向（図において矢印参照）後ろ側に方形板状の内スカート１２０を配置して構成することができる。また、路面用噴水型除去装置１００，２００は、例えば、図１０に示すように、方形状の外スカート１２８内において、噴射体１０１に対して進行方向（図において矢印参照）後ろ側に略Ｕ字状の内スカート１２０を配置して構成することもできる。
【手続補正２０】
【補正対象書類名】明細書
【補正対象項目名】００７６
【補正方法】変更
【補正の内容】
【００７６】
また、上記各実施形態においては、バキューム領域ＶＥは、噴射体１０１に対して路面用噴水型除去装置１００，２００の進行方向後ろ側を含んで形成されている。これにより、路面用噴水型除去装置１００，２００は、バキューム領域ＶＥを噴射体１０１に対して進行方向前側に配置するよりも効率的に水や白線屑を吸引することができる。しかし、バキューム領域ＶＥの形成位置は、上記各実施形態に限定されるものではない。すなわち、バキューム領域ＶＥは、噴射体１０１に対して路面用噴水型除去装置１００，２００の進行方向前側、側方および後ろ側のみ、またはこれらを適宜組み合わせて形成することもできる。